(57)【要約】【課題】氷結、降雪および豪雨等による笠部同士の橋絡を低減することができる碍子を提供する。【解決手段】碍子１は、棒状をなし、内部にコアを有する本体部１０と、本体部１０の長手方向に沿って所定の間隔で設けられた複数の笠部１２と、を備え、複数の笠部１２のうち、天方向における端部のみの第１の笠部１２１の外径Ｒ１が他の複数の第２の笠部１２２の各々の外径Ｒ２よりも大きい。【選択図】図１
2020135971.tif 000002
【特許請求の範囲】
【請求項１】
電力線路において垂直に配設されて使用される碍子であって、
棒状をなし、内部にコアを有する本体部と、
前記本体部の長手方向に沿って所定の間隔で設けられた複数の笠部と、
を備え、
前記複数の笠部のうち、天方向における端部のみの笠部の外径が他の複数の笠部の各々の外径よりも大きい、
ことを特徴とする碍子。
【請求項２】
請求項１に記載の碍子であって、
前記他の複数の笠部は、枚数が３枚以上である、
ことを特徴とする碍子。
【請求項３】
請求項１に記載の碍子であって、
前記他の複数の笠部は、枚数が２枚以上である、
ことを特徴とする碍子。
【請求項４】
請求項１〜３のいずれか一つに記載の碍子であって、
前記端部の笠部の径と前記他の複数の笠部の径の各々との差は、１５ｍｍ以上である、
ことを特徴とする碍子。
【請求項５】
請求項４に記載の碍子であって、
前記他の複数の笠部は、下端側に向けて順に径が大きい、
ことを特徴とする碍子。
【請求項６】
請求項１〜５のいずれか一つに記載の碍子であって、
前記複数の笠部は、ポリマによって形成される、
ことを特徴とする碍子。
【請求項７】
請求項１〜６のいずれか一つに記載の碍子であって、
前記複数の笠部の各々は、円盤状をなす、
ことを特徴とする碍子。
【請求項８】
請求項１〜６のいずれか一つに記載の碍子であって、
前記複数の笠部の各々は、楕円形をなす、
ことを特徴とする碍子。
【請求項９】
請求項１〜６のいずれか一つに記載の碍子であって、
前記複数の笠部の各々は、逆円錐形をなす、
ことを特徴とする碍子。
【発明の詳細な説明】
【技術分野】
【０００１】
本発明は、送配電に用いられる碍子に関する。
【背景技術】
【０００２】
一般的に、ポリマ碍子は、コアを被覆する複数の笠部の各々の径が同一なものが設けられたものや、複数の笠部の各々の径が互い違いに設けられたものが知られている（例えば特許文献１，２参照）。
【先行技術文献】
【特許文献】
【０００３】
【特許文献１】特開２０１２−３８７３６号公報
【特許文献２】特開２０１２−２４８５２５号公報
【発明の概要】
【発明が解決しようとする課題】
【０００４】
ところで、従来の碍子では、同じ径の笠部が垂直方向に複数設けられていることで、氷結、降雪および豪雨等によって笠部同士で橋絡する恐れがある。このため、従来の碍子において、笠部の間隔を長くとったり、複数の笠部の各々を互いに異なる径で形成することによって段違いにしたりすることで、橋絡を低減する手法を行っている。
【０００５】
しかしながら、上述した手法では、笠部の数が増加するほど、垂直方向に長くなる。このため、小さな碍子では、上述した手法を用いることが難しく、新たな手法によって橋絡を低減することができる技術が望まれていた。
【０００６】
本開示は、上記に鑑みてなされたものであって、氷結、降雪および豪雨等による笠部同士の橋絡を低減することができる碍子を提供することを目的とする。
【課題を解決するための手段】
【０００７】
上述した課題を解決し、目的を達成するために、本開示に係る碍子は、電力線路において垂直に配設されて使用される碍子であって、棒状をなし、内部にコアを有する本体部と、前記本体部の長手方向に沿って所定の間隔で設けられた複数の笠部と、を備え、前記複数の笠部のうち、天方向における端部のみの笠部の外径が他の複数の笠部の各々の外径よりも大きい。
【０００８】
また、本開示に係る碍子は、上記開示において、前記他の複数の笠部は、枚数が３枚以上である。
【０００９】
また、本開示に係る碍子は、上記開示において、前記他の複数の笠部は、枚数が２枚以上である。
【００１０】
また、本開示に係る碍子は、上記開示において、前記端部の笠部の径と前記他の複数の笠部の径の各々との差は、１５ｍｍ以上である。
【００１１】
また、本開示に係る碍子は、上記開示において、前記他の複数の笠部は、下端側に向けて順に径が大きい。
【００１２】
また、本開示に係る碍子は、上記開示において、前記複数の笠部は、ポリマによって形成される。
【００１３】
また、本開示に係る碍子は、上記開示において、前記複数の笠部の各々は、円盤状をなす。
【００１４】
また、本開示に係る碍子は、上記開示において、前記複数の笠部の各々は、楕円形をなす。
【００１５】
また、本開示に係る碍子は、上記開示において、前記複数の笠部の各々は、逆円錐形をなす。
【発明の効果】
【００１６】
本開示によれば、氷結、降雪および豪雨等による笠部同士の橋絡を低減することができるという効果を奏する。
【図面の簡単な説明】
【００１７】
【図１】図１は、実施の形態１に係る碍子の概略構成を示す模式図である。
【図２】図２は、悪天候時における従来の碍子の状況を模式的に示す図である。
【図３】図３は、悪天候時における碍子の状況を模式的に示す図である。
【図４】図４は、実施の形態２に係る碍子の概略構成を示す模式図である。
【図５】図５は、実施の形態３に係る碍子の概略構成を示す模式図である。
【図６】図６は、実施の形態１〜３の変形例１に係る碍子の概略構成を示す模式図である。
【図７】図７は、実施の形態１〜３の変形例２に係る碍子の概略構成を示す模式図である。
【図８】図８は、実施の形態１〜３の変形例３に係る碍子の概略構成を示す模式図である。
【発明を実施するための形態】
【００１８】
以下、図面を参照して実施の形態について説明する。なお、この実施の形態により、この発明が限定されるものではない。また、図面の記載において、同一または対応する要素には、適宜同一の符号を付し、重複説明を適宜省略する。また、図面は、模式的なものであり、各要素の寸法の関係、各要素の比率等は、現実と異なる場合があることに留意する必要がある。さらに、図面の相互間においても、互いの寸法の関係や比率が異なる部分が含まれている場合がある。
【００１９】
（実施の形態１）
〔碍子の構成〕
図１は、実施の形態１に係る碍子の概略構成を示す模式図である。図１に示す碍子１は、電力線路において垂直に配設されて使用される。
【００２０】
碍子１は、棒状をなし、内部にコアを有する本体部１０と、本体部１０の長手方向の両端に設けられた端子金具１１と、本体部１０の長手方向に沿って所定の間隔で設けられた複数の笠部１２と、を備える。本体部１０および複数の笠部１２は、材質がポリマによって形成されてなる。複数の笠部１２は、第１の笠部１２１と、複数の第２の笠部１２２と、を有する。
【００２１】
第１の笠部１２１は、本体部１０の長手方向に沿って本体部１０の天方向における端部、即ち、本体部１０の上端端に設けられる。第１の笠部１２１は、円盤状をなし、外径が外径Ｒ１である。具体的には、第１の笠部１２１は、外径Ｒ１が１８０ｍｍ〜１５０ｍｍである。
【００２２】
第２の笠部１２２は、本体部１０の長手方向に沿って第１の笠部１２１より本体部１０の下端側に所定の間隔で複数、例えば４枚設けられている。第２の笠部１２２は、円盤状をなし、外径が外径Ｒ２である。また、第２の笠部１２２は、外径Ｒ２が第１の笠部１２１の外径Ｒ１より小さく（Ｒ１＞Ｒ２）、かつ、外径における半径の差Ｒ３が１５ｍｍ以上である。具体的には、第２の笠部１２２は、外径Ｒ２が１２０ｍｍである。なお、図１では、第２の笠部１２２の数が４枚であるが、これに限定されることなく、少なくとも２枚以上であればよい。
【００２３】
〔悪天候時における比較〕
次に、上述した碍子１と従来の碍子との悪天候に対する状況について説明する。
図２は、悪天候時における従来の碍子の状況を模式的に示す図である。図３は、悪天候時における碍子１の状況を模式的に示す図である。
【００２４】
図２に示すように、同じ外径Ｒ１０の笠部２００が所定の間隔で設けられた碍子３００では、吹き付ける雪Ｏ１によって各笠部２００の上面に積雪Ｏ２が生じた場合、積雪Ｏ２を介して各笠部２００同士が電気的に接続されて、橋絡する。この結果、従来の碍子３００は、氷結、降雪および豪雨等の悪天候により橋絡し得る。
【００２５】
これに対して、図３に示すように、碍子１は、複数の笠部１２のうち、天方向における端部のみの第１の笠部１２１の外径Ｒ１が他の複数の第２の笠部１２２の各々の外径Ｒ２よりも大きい。このため、碍子１は、氷結または降雪によって第１の笠部１２１の下側に発生した氷柱Ｏ３や第１の笠部１２１の上側に積もった積雪Ｏ２等が第２の笠部１２２に電気的に接続し辛い。さらに、碍子１は、第１の笠部１２１が水切りの役目を果たす。この結果、碍子１は、氷結、降雪および豪雨等の悪天候による橋絡を低減することができる。
【００２６】
以上説明した実施の形態１によれば、複数の笠部１２のうち、天方向における端部の第１の笠部１２１の外径Ｒ１が他の複数の第２の笠部１２２の各々の外径Ｒ２よりも大きいので、氷結、降雪および豪雨等の悪天候による橋絡を低減することができる。
【００２７】
また、実施の形態１によれば、第１の笠部１２１の外径Ｒ１が他の複数の第２の笠部１２２の各々の外径Ｒ２よりも大きくすることによって、絶縁距離を延長することができるため、耐電圧性能を向上させることができる。なお、絶縁距離は、表面漏れ距離と同義である。
【００２８】
また、実施の形態１によれば、碍子１をポリマによって形成することによって、雪が付着することを低減することができる。
【００２９】
なお、実施の形態1では、碍子１をポリマによって形成しているが、これに限定されない。
【００３０】
また、実施の形態１では、笠部１２の表面に、自己洗浄能力を有するコーティング処理等を施してもよい。
【００３１】
（実施の形態２）
次に、実施の形態２について説明する。上述した実施の形態１に係る碍子１では、複数の第２の笠部１２２の各々の外径が全て同じであったが、実施の形態２に係る碍子では、複数の第２の笠部の各々の外径が互いに異なる。以下においては、実施の形態２に係る碍子の構成について説明する。なお、上述した実施の形態１に係る碍子１と同一の構成には同一の符号を付して詳細な説明は省略する。
【００３２】
〔碍子の構成〕
図４は、実施の形態２に係る碍子の概略構成を示す模式図である。
図４に示す碍子１Ａは、上述した実施の形態１に係る複数の笠部１２に換えて、複数の笠部１２Ａを備える。複数の笠部１２Ａは、第１の笠部１２１と、第２の笠部１２２と、第３の笠部１２３と、を備える。
【００３３】
第３の笠部１２３は、本体部１０の最下端側に設けられる。第３の笠部１２３は、円盤状をなし、外径が外径Ｒ４である。第３の笠部１２３は、外径Ｒ４が第１の笠部１２１の外径Ｒ１より小さく（Ｒ１＞Ｒ４）、第２の笠部１２２の外径Ｒ２より大きい（Ｒ１＞Ｒ４＞Ｒ２）。具体的には、第３の笠部１２３は、外径Ｒ４が１４０〜１３０ｍｍである。
【００３４】
以上説明した実施の形態２によれば、天方向における端部の第１の笠部１２１の外径Ｒ１が第２の笠部１２２の外径Ｒ２および第３の笠部１２３の外径Ｒ４よりも大きいので、氷結、降雪および豪雨等の悪天候による橋絡を低減することができる。
【００３５】
（実施の形態３）
次に、実施の形態３について説明する。上述した実施の形態１に係る碍子１では、複数の第２の笠部１２２が所定の間隔で設けられていたが、実施の形態３に係る碍子では、第２の笠部１２２を一枚だけ設けている。以下においては、実施の形態３に係る碍子の構成について説明する。なお、上述した実施の形態１に係る碍子１と同一の構成には同一の符号を付して詳細な説明は省略する。
【００３６】
〔碍子の構成〕
図５は、実施の形態３に係る碍子の概略構成を示す模式図である。
図５に示す碍子１Ｂは、上述した実施の形態１に係る複数の笠部１２に換えて、複数の笠部１２Ｂを備える。複数の笠部１２Ｂは、上述した実施の形態１に係る第２の笠部１２２が一枚のみ設けられている。第１の笠部１２１と第２の笠部１２２との距離Ｄ１は、ＩＥＣ６０８１５−４によって定められている。
【００３７】
従来の碍子では、取り付けピッチ寸法と笠の直径の最大値が定められており、かつ、ＩＥＣ６０８１５−４によって笠間隔の比率まで設定されている。このため、従来の技術では、小型碍子を製造する場合において、笠間隔を長くとったとき、規定の取り付けピッチの間に笠が収まらなくなってしまう。さらに、従来の碍子では、互い違いに外径が異なる複数の段違い笠部を設けた場合、ＩＥＣ６０８１５−４の笠間隔の比率から逸脱するため、小型の碍子を製造することが困難である。これに対して、碍子１Ｂは、笠間隔を長くとったとしても、規定の取り付けピッチの距離Ｄ１の寸法に第１の笠部１２１および第２の笠部１２２が収まるので、段違いであっても、ＩＥＣ６０８１５−４の笠間隔の比率内に収めることができる。この結果、碍子１Ｂは、小型化を行うことができる。
【００３８】
以上説明した実施の形態３によれば、天方向における端部の第１の笠部１２１の外径Ｒ１が第２の笠部１２２の外径Ｒ２よりも大きいので、氷結、降雪および豪雨等の悪天候による橋絡を低減することができる。
【００３９】
さらに、実施の形態３によれば、ＩＥＣ６０８１５−４の笠間隔の比率内に収めることができるため、小型化を行うことができる。
【００４０】
（実施の形態１〜３の変形例１）
次に、実施の形態１〜３の変形例１について説明する。上述した実施の形態１〜３では、笠部の形状が円盤状であったが、これに限定されることなく、種々の形状に変更することができる。なお、上述した実施の形態１に係る碍子１と同一の構成には同一の符号を付して詳細な説明を省略する。
【００４１】
図６は、実施の形態１〜３の変形例１に係る碍子の概略構成を示す模式図である。図６に示す碍子１Ｃは、上述した実施の形態１に係る複数の笠部１２に換えて、複数の笠部１２Ｃを備える。複数の笠部１２Ｃは、外径Ｒ１の第１の笠部１２１Ｃと、外径Ｒ２の複数の第２の笠部１２２Ｃを備える。
【００４２】
第１の笠部１２１Ｃおよび複数の第２の笠部１２２Ｃは、上面と底面との径が同じとなるように厚みを有する円盤状に形成し、かつ、上面にＲ加工等を施すことによって先端側が丸めて形成する。
【００４３】
以上説明した実施の形態１〜３の変形例１によれば、第１の笠部１２１Ｃおよび第２の笠部１２２Ｃの先端側を丸めて形成したので、先端に雪が付着しづらいうえ、先端が水切りの役目を発揮するので、氷結、降雪および豪雨等の悪天候による橋絡を低減することができる。
【００４４】
（実施の形態１〜３の変形例２）
次に、実施の形態１〜３の変形例２について説明する。図７は、実施の形態１〜３の変形例２に係る碍子の概略構成を示す模式図である。
【００４５】
図７に示す碍子１Ｄは、上述した実施の形態１に係る複数の笠部１２に換えて、複数の笠部１２Ｄを備える。複数の笠部１２Ｄは、外径Ｒ１の楕円形をなす第１の笠部１２１Ｄと、外径Ｒ２の楕円形をなす複数の第２の笠部１２２Ｄを備える。
【００４６】
以上説明した実施の形態１〜３の変形例２によれば、第１の笠部１２１Ｄおよび第２の笠部１２２Ｄが楕円形をなすので、先端に雪が付着しづらいうえ、先端が水切りの役目を発揮するので、氷結、降雪および豪雨等の悪天候による橋絡を低減することができる。
【００４７】
（実施の形態１〜３の変形例３）
次に、実施の形態１〜３の変形例３について説明する。図８は、実施の形態１〜３の変形例３に係る碍子の概略構成を示す模式図である。
【００４８】
図８に示す碍子１Ｅは、上述した実施の形態１に係る複数の笠部１２に換えて、複数の笠部１２Ｅを備える。複数の笠部１２Ｅは、逆円錐形をなす第１の笠部１２１Ｅと、逆円錐形をなす複数の第２の笠部１２２Ｅと、を有する。第１の笠部１２１Ｅは、上面の外径が外径Ｒ１を有する。また、第２の笠部１２２Ｅは、上面の外径が外径Ｒ２を有する。
【００４９】
以上説明した実施の形態１〜３の変形例３によれば、第１の笠部１２１Ｅおよび第２の笠部１２２Ｅが逆円錐状をなすので、氷結、降雪および豪雨等の悪天候による橋絡を低減することができる。
【００５０】
（その他の実施形態）
なお、上記実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【００５１】
以上、本願の実施形態のいくつかを図面に基づいて詳細に説明したが、これらは例示であり、本発明の開示の欄に記載の態様を始めとして、当業者の知識に基づいて種々の変形、改良を施した他の形態で本発明を実施することが可能である。
【符号の説明】
【００５２】
１，１Ａ，１Ｂ，１Ｃ，１Ｄ，１Ｅ，３００  碍子
１０  本体部
１１  端子金具
１２，１２Ａ，１２Ｃ，１２Ｄ，１２Ｅ，２００  笠部
１２１，１２１Ｃ，１２１Ｄ，１２１Ｅ  第１の笠部
１２２，１２２Ｃ，１２２Ｄ，１２２Ｅ  第２の笠部
１２３    第３の笠部
【図１】
2020135971.tif 000003
【図２】
2020135971.tif 000004
【図３】
2020135971.tif 000005
【図４】
2020135971.tif 000006
【図５】
2020135971.tif 000007
【図６】
2020135971.tif 000008
【図７】
2020135971.tif 000009
【図８】
2020135971.tif 000010